(57)【要約】【課題】  使い易く安全な救命装置を提供する。【解決手段】  この救命装置では、圧力調整器１のガス入口をガスプラグ２を介して配管端末器のソケット４に固定し、圧力調整器１のガス出口をホース５を介してオン／オフバルブ６のガス入口に接続し、オン／オフバルブ６のガス出口をチューブ７を介して注射針８の基端部に接続し、注射針の先端部を患者の気管内に穿刺する。したがって、使用者はオン／オフバルブ６のみを持てばよいので、軽くて使い易く、圧力調整器１の置き場に困ることも無い。【選択図】        図１
0003104675.tif 000002
【実用新案登録請求の範囲】
【請求項１】
呼吸困難な患者を救命するための救命装置であって、
その先端部が配管端末器のソケットに挿入されるガスプラグを備え、前記ソケットは、前記ガスプラグの先端部が挿入されたことに応じて前記ガスプラグを係止するとともに前記ガスプラグを介して呼吸用ガスを供給し、
さらに、前記ガスプラグの基端部が固定された第１ガス入口と、前記第１ガス入口に連通する１次室と、第１ガス出口と、前記第１ガス出口に連通する２次室と、圧力調整ハンドルとを含み、前記圧力調整ハンドルが締められたことに応じて前記１次室内の呼吸用ガスを前記２次室内に導入し、前記２次室内の呼吸用ガスの圧力を所望の値に調整する圧力調整器、
その一方端部が前記第１ガス出口に接続されたホース、および
前記ホースの他方端部に接続された第２ガス入口と、プッシュボタンと、第２ガス出口とを含み、前記プッシュボタンが押圧されたことに応じて前記第２ガス入口を介して与えられた呼吸用ガスを前記第２ガス出口を介して前記患者の気管内に供給するオン／オフバルブを備える、救命装置。
【請求項２】
前記圧力調整器は、さらに、前記圧力調整ハンドルが緩められたことに応じて前記２次室内の呼吸用ガスを外部に放出する、請求項１に記載の救命装置。
【請求項３】
さらに、その一方端部が前記第２ガス出口に接続されたチューブ、および
その基端部が前記チューブの他方端部に接続され、その先端部が前記患者の気管内に穿刺され、前記基端部を介して与えられた呼吸用ガスを前記患者の気管内に供給する注射針を備える、請求項１または請求項２に記載の救命装置。
【考案の詳細な説明】
【技術分野】
【０００１】
この考案は救命装置に関し、特に、呼吸困難な患者を救命するための救命装置に関する。
【背景技術】
【０００２】
図１０は、従来の救命装置の要部を示す図である。図１０において、この救命装置は、圧力調整器５０およびオン／オフバルブ５１を備える。圧力調整器５０のガス入口には、所定圧力の酸素ガス（呼吸用ガス）がホース５２を介して供給される。オン／オフバルブ５１のガス入口は、コネクタを介して圧力調整器５０のガス出口に固定される。オン／オフバルブ５１のガス出口は、チューブ５３を介して注射針（図示せず）の基端部に接続される。
【０００３】
圧力調整器５０の圧力計５０ａを見ながら圧力調整ハンドル５０ｂを締めて２次圧を所定値に調整した後、注射針の先端部を呼吸困難な患者の咽喉を介して気管内に穿刺し、オン／オフバルブ５１のプッシュボタン５１ａを押すことにより、患者の肺に酸素ガスを供給することができる（たとえば非特許文献１参照）。
【非特許文献１】Ron M.Wall著“Manual of Emergency airway management”Lippincott Williams & Wilkins出版、2000年、p.102
【考案の開示】
【考案が解決しようとする課題】
【０００４】
しかし、従来の救命装置では、オン／オフバルブ５１が圧力調整器５０に固定されていたので、圧力調整器５０とオン／オフバルブ５１を一緒に持つ必要があり、重くて使い難いという問題があった。
【０００５】
また、圧力調整器５０とオン／オフバルブ５１の置き場に困るという問題があった。
【０００６】
また、２次圧を上げ過ぎた場合は、圧力調整ハンドル５０ｂを緩めてオン／オフバルブ５１のプッシュボタン５１ａを押し、圧力調整器５０の２次室内の酸素ガスを放出する必要がある。そのとき、チューブ５３および注射針を介して酸素ガスを放出するので、チューブ５３および注射針が酸素ガスの勢いで跳ね動き、危険であった。
【０００７】
それゆえに、この考案の主たる目的は、使い易く安全な救命装置を提供することである。
【課題を解決するための手段】
【０００８】
この考案に係る救命装置は、呼吸困難な患者を救命するための救命装置であって、その先端部が配管端末器のソケットに挿入されるガスプラグを備え、ソケットは、ガスプラグの先端部が挿入されたことに応じてガスプラグを係止するとともにガスプラグを介して呼吸用ガスを供給する。救命装置は、さらに、圧力調整器、ホースおよびオン／オフバルブを備える。圧力調整器は、ガスプラグの基端部が固定された第１ガス入口と、第１ガス入口に連通する１次室と、第１ガス出口と、第１ガス出口に連通する２次室と、圧力調整ハンドルとを含み、圧力調整ハンドルが締められたことに応じて１次室内の呼吸用ガスを２次室内に導入し、２次室内の呼吸用ガスの圧力を所望の値に調整する。オン／オフバルブは、ホースの他方端部に接続された第２ガス入口と、プッシュボタンと、第２ガス出口とを含み、プッシュボタンが押圧されたことに応じて第２ガス入口を介して与えられた呼吸用ガスを第２ガス出口を介して患者の気管内に供給する。
【０００９】
好ましくは、圧力調整器は、さらに、圧力調整ハンドルが緩められたことに応じて２次室内の呼吸用ガスを外部に放出する。
【００１０】
また好ましくは、さらに、その一方端部が第２ガス出口に接続されたチューブと、その基端部がチューブの他方端部に接続され、その先端部が患者の気管内に穿刺され、基端部を介して与えられた呼吸用ガスを患者の気管内に供給する注射針とが設けられる。
【考案の効果】
【００１１】
この考案に係る救命装置では、圧力調整器の第１ガス入口がガスプラグを介して配管端末器のソケットに固定され、圧力調整器の第１ガス出口がホースを介してオン／オフバルブの第２ガス入口に接続され、オン／オフバルブの第２ガス出口から患者の気管内に呼吸用ガスが供給される。したがって、使用者はオン／オフバルブのみを持てばよいので、軽くて使い易く、圧力調整器の置き場に困ることも無い。
【００１２】
また、圧力調整器は圧力調整ハンドルが緩められたことに応じて２次室内の呼吸用ガスを外部に放出するようにした場合は、２次室内の呼吸用ガスの圧力を上げ過ぎた場合でも、２次室内の呼吸用ガスを容易かつ安全に放出することができる。
【００１３】
また、さらにチューブおよび注射針を設けた場合は、気管挿管が困難な場合でも、患者の気管内に呼吸用ガスを供給することができる。
【考案を実施するための最良の形態】
【００１４】
図１および図２は、この考案の一実施の形態による救命装置の構成およびその使用方法を示す図である。図１および図２において、この救命装置は、圧力調整器１、ガスプラグ２、ホース５、オン／オフバルブ６、チューブ７、および注射針８を備える。
【００１５】
この救命装置は、病院の手術室、集中治療室、病室などにおいて、気管挿管が必要であるにもかかわらず挿管が困難な患者を救うための装置である。手術室の内壁３には後述する配管端末器のソケット４が設けられている。圧力調整器１のガス入口にはガスプラグ２の基端部が固定されている。ガスプラグ２の先端部をソケット４に挿入すると、ガスプラグ２が係止されるとともに、ガスプラグ２を介して圧力調整器１に酸素ガスが供給される。ガスプラグ２がソケット４によって係止されると、圧力調整器１はガスプラグ２およびソケット４を介して手術室の内壁３に固定される。
【００１６】
フレキシブルなホース５の一方端部は圧力調整器１のガス出口に接続され、ホース５の他方端部はオン／オフバルブ６のガス入口に接続される。フレキシブルなチューブ７の一方端部はオン／オフバルブ６のガス出口に接続され、チューブ７の他方端部は注射針８の基端部に接続される。
【００１７】
圧力調整器１の圧力計１ａを見ながら圧力調整ハンドル１ｂを締めて２次圧を所定値に調整した後、注射針８の先端部を呼吸困難な患者９の咽喉を介して気管９ａ内に穿刺し、オン／オフバルブ６のプッシュボタン６ａを押すことにより、患者９の肺９ｂに酸素ガスを供給することができる。このとき、患者の９の胸の動きを見ながら、酸素ガスの圧力を再調整したり、オン／オフバルブ６のプッシュボタン６ａを間欠的に押すと良い。
【００１８】
図３（ａ）（ｂ）（ｃ）は圧力調整器１およびガスプラグ２の外観を示す図であり、図４は圧力調整器１の構成を示す断面図である。図３（ａ）（ｂ）（ｃ）および図４を参照して、ガスプラグ２は、ボルト部１０、差込部１１およびピン１２，１３を含む。差込部１１はボルト部１０の端面中央に立設され、差込部１１およびボルト部１０には１つの貫通孔が形成されている。差込部１１には、ソケット４に挿入されるテーパ部１１ａと、ソケット４に挿入されたときにソケット４の係止部材と係合する係合溝１１ｂが形成されている。ピン１２，１３は、ボルト部１０の端面の周辺部の所定位置に立設されている。ピン１２，１３の位置は使用ガスに対応して定められており、酸素ガスの場合は１８０度間隔で設けられている。ボルト部１０のネジ部は圧力調整器１のガス入口に螺合される。
【００１９】
圧力調整器１は、調整器本体１５の一方端面にガスプラグ２が螺合されるガス入口を設け、調整器本体１５の他方端面に圧力調整ハンドル１ｂを設け、調整器本体１５の側面に圧力計１ａとホース５に接続されるガス出口とを設けたものである。ガス出口には、出口継手１６のネジ部が螺合されている。ホース５は、出口継手１６によってガス出口に接続されている。圧力計１ａは、２次圧力に応じた角度だけ回転する指示針と、文字盤を含む。文字盤の適正使用範囲（０．１４ＭＰａ〜０．３５ＭＰａ）には所定の色が付されている。
【００２０】
調整器本体１５の内部には、ガス入口に連通し弁座１７で区画された１次室Ａと、ガス出口および圧力計１ａに連通しダイヤフラム１８で覆われた２次室Ｂとが形成されている。１次室Ａには調整弁１９が配置されている。調整弁１９は、緩衝スプリング２０によって弁座１７側に付勢され、弁座１７中央の弁孔を塞いでいる。２次室Ｂにはリリーフ弁２１が配置されている。弁座１７の弁孔には調整弁案内棒２２が移動可能に設けられている。調整弁案内棒２２の一方端部は調整弁１９に固定され、その他方端部はリリーフ弁２１に固定されている。リリーフ弁２１は、調整弁１９および調整弁案内棒２２を介して緩衝スプリング２０によってダイヤフラム１８側に付勢され、ダイヤフラム１８中央のリリーフ孔を塞いでいる。
【００２１】
ダイヤフラム１８を覆うようにして調整器カバー２３が設けられる。調整器カバー２３には、リリーフ孔２３ａが形成されている。調整器カバー２３内には、ダイヤフラム１８の裏面に当接されるダイヤフラム受２４と、２つのスプリング受２５，２６に挟まれた圧力調整スプリング２７が収容されている。調整器カバー２３の端部には押しネジ２８が螺着されており、押しネジ２８の先端部はスプリング受２６の背面に当接し、押しネジ２８の基端部は圧力調整ハンドル１ｂの中央に固定されている。
【００２２】
次に、圧力調整器１の動作について説明する。ガスプラグ２をソケット４に挿入すると、ガスプラグ２がソケット４に係止されるとともに、ガスプラグ２を介して圧力調整器１のガス入口に酸素ガスが供給される。このとき調整弁１９は緩衝スプリング２０によって弁座１７に付勢されているので、図５(ａ）に示すように、酸素ガスは１次室Ａ内に充満する。
【００２３】
オン／オフバルブ６を閉じた状態で圧力調整ハンドル１ｂを時計方向に回すと、図５（ｂ）に示すように、圧力調整スプリング２７が圧縮され、ダイヤフラム１８が押し下げられる。ダイヤフラム１８の動きに応じてリリーフ弁２１と調整弁１９が連動して押し下げられ、調整弁１９と弁座２１の間に隙間ができて２次室Ｂに酸素ガスが入る。
【００２４】
次の瞬間に２次室Ｂの圧力が高くなり、図５（ｃ）に示すように、ダイヤフラム１８が押し上げられて調整弁１９が閉まる。オン／オフバルブ６を開いて酸素ガスを供給している場合は、図５（ｂ）と（ｃ）の動作が繰り返される。図５（ｃ）の状態では、ダイヤフラム１８を介して、圧力調整スプリング２７の押し下げる力と、２次室Ｂの圧力、１次室Ａの圧力および緩衝スプリング２０の力とがバランスを保った状態になっている。したがって、圧力調整ハンドル１ｂの締め具合を調整することにより、２次室Ｂの圧力を所望の値に調整することができる。
【００２５】
ここで、圧力調整ハンドル１ｂを反時計方向に回すと、圧力調整スプリング２７の力が弱まり、ダイヤフラム１８を介した左右の力のバランスがくずれ、図５（ｄ）に示すように、ダイヤフラム１８が２次室Ｂの圧力で押し上げられる。調整弁１９は弁座１７に当たっているので、リリーフ弁２１とダイヤフラム１８の間に隙間ができ、２次室Ｂの酸素ガスがダイヤフラム１８のリリーフ孔および調整器カバー２３のリリーフ孔２３ａを介して外部に放出される。酸素ガスが放出されたため２次室Ｂの圧力が低下し、図５（ｅ）に示すように、圧力調整スプリング２７の力でダイヤフラム１８が押され、リリーフ弁２１が閉じられる。
【００２６】
したがって、この圧力調整器１を用いることにより、２次室Ｂの圧力を上げ過ぎた場合でも、オン／オフバルブ６を閉じたまま２次室Ｂの圧力を下げて再調整することができる。したがって、チューブ７および注射針８を介して２次室Ｂの酸素ガスを放出する必要が無いので、チューブ７および注射針８が酸素ガスの勢いで跳ね動くことも無く安全である。
【００２７】
図６（ａ）（ｂ）はオン／オフバルブ６の外観を示す図であり、図７はオン／オフバルブ６の構成を示す断面図である。図６（ａ）（ｂ）および図７を参照して、オン／オフバルブ６は、円柱状の金属片を加工したバルブ本体３０を含む。バルブ本体３０の上面には所定寸法の凹部３１が形成されており、バルブ本体３０の側面両側にはそれぞれガス入口およびガス出口が形成されている。ガス入口は凹部３１の下部に連通し、ガス出口は凹部３１の上部に連通している。ガス入口には入口継手３２のネジ部が螺合され、ガス出口には出口継手３３のネジ部が螺合されている。ホース５は入口継手３２を介してガス入口に接続され、チューブ７は出口継手３３を介してガス出口に接続される。
【００２８】
凹部３１の上部には、ボルト状の弁座３４のネジ部が螺合されている。弁座３４の中心には貫通孔が形成されている。弁座３４の側面下部にはガス出口と貫通孔を繋ぐ孔が形成されている。貫通孔の下側開口部の縁はすり鉢状に形成され、貫通孔の中央部には段差部が形成されている。貫通孔には弁棒３５が挿入されており、弁棒３５の下端部にはＯリング３６が設けられている。
【００２９】
また、貫通孔の中央部の段差部には、弁棒３５を挿通させるＯリング３７が設けられており、このＯリング３７により酸素ガスが外部に漏れることが防止される。弁棒３５の上端部のネジ部は、プッシュボタン６ａの下側中央に螺合される。貫通孔中央の段差部とプッシュボタン６ａの下端部との間にはスプリングガイド３８およびスプリング３９が設けられる。このスプリング３９の力によって弁棒３５が上側に引き上げられ、Ｏリング３６が弁棒３５下端の頭部と貫通孔の縁との間に挟まれ、ガス入口とガス出口の間が遮断される。プッシュボタン６ａを押すと、弁棒３５が下側に押し下げられ、Ｏリング３６と貫通孔の縁との間に隙間ができて酸素ガスがガス出口に噴出される。
【００３０】
次に、配管端末器について説明する。最近建設された病院では、医療用酸素ガスなどのガス配管を建物の壁内に敷設し、手術室、集中治療室、病室に配管端末器を設置することで各種ガスの集中管理を行なうとともにガスボンベを搬送する作業を排除して労力の軽減化を図ることが多い。
【００３１】
図８はそのよう配管端末器の構成を示す図であり、図９（ａ）（ｂ）は配管端末器の使用方法を示す図である。図８および図９（ａ）（ｂ）を参照して、配管端末器は、壁面（図示せず）に埋設された筐体４０を含む。筐体４０内には、壁内に敷設されたガス配管４１に接続されたベースブロック４２が固定されている。ベースブロック４２にはソケット４が取り付けられており、ガス配管４１からベースブロック４２を介してソケット４に酸素ガスが供給される。
【００３２】
筐体４０はカバー４３によって閉蓋され、ソケット４はカバー４３から室内側に突出している。ソケット４には防塵用プラグ４４が取り付けられており、非使用時にソケット４が汚染されることを防止している。ソケット４の外周部にはロック解除リング４５が設けられている。
【００３３】
使用時は、ロック解除リング４５を時計方向に回して防塵用プラグ４４を取り外す。ロック解除リング４５から手を離すと、ロック解除リング４５はスプリング（図示せず）の力により反時計方向に回転して元の状態に戻る。ソケット４には、ガス供給口４６およびピン孔４７，４８が形成されている。ガスプラグ２の差込部１１をガス供給口４６に挿入し、ガスプラグ２のピン１２，１３の位置をそれぞれピン孔４７，４８に合わせてガスプラグ２を押し込むと、差込部１１の係合溝１１ｂにソケット４内の係止片（図示せず）が嵌まり込んで係止し、ガスプラグ２がソケット４に固定される。このとき差込部１１の先端部がソケット４内の弁体（図示せず）を開く方向に押圧しており、ソケット４からガスプラグ２を介して圧力調整器１に酸素ガスが供給される。
【００３４】
使用後は、ロック解除リング４５を時計方向に回転させて上記係止片を係合溝１１ｂから離脱させ、ガスプラグ２をソケット４から抜き取る。ガスプラグ２を抜き取ると、上記弁体がスプリング（図示せず）の力によって閉弁状態に復帰し、酸素ガスが遮断される。
【００３５】
この実施の形態では、圧力調整器１のガス入口がガスプラグ２を介して配管端末器のソケット４に固定され、圧力調整器１のガス出口がホース５を介してオン／オフバルブ６のガス入口に接続され、オン／オフバルブ６のガス出口がチューブ７を介して注射針８の基端部に接続される。したがって、使用者はオン／オフバルブ６のみを持てばよいので、軽くて使い易く、圧力調整器１の置き場に困ることも無い。
【００３６】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【図面の簡単な説明】
【００３７】
【図１】この考案の一実施の形態による救命装置の一部分の構成を示す図である。
【図２】図１に示した救命装置の他の部分を示す図である。
【図３】図１に示した圧力調整器およびガスプラグの外観構成を示す図である。
【図４】図３に示した圧力調整器の構成を示す断面図である。
【図５】図４に示した圧力調整器の動作を示す図である。
【図６】図１に示したオン／オフバルブの外観構成を示す図である。
【図７】図６に示したオン／オフバルブの構成を示す断面図である。
【図８】図１で説明した配管端末器の構成を示す図である。
【図９】図８に示した配管端末器の使用方法を示す図である。
【図１０】従来の救命装置の構成を示す図である。
【符号の説明】
【００３８】
１，５０  圧力調整器、1ａ，５０ａ  圧力計、１ｂ，５０ｂ  圧力調整ハンドル、２  ガスプラグ、５，５２  ホース、６，５１  オン／オフバルブ、６ａ，５１ａ  プッシュボタン、７，５３  チューブ、８  注射針、９  患者、９ａ  気管、９ｂ  肺、１０  ボルト部、１１  差込部、１１ａ  テーパ部、１１ｂ  係合溝、１２，１３  ピン、１５  調整器本体、１６，３３  出口継手、１７  弁座、Ａ  １次室、１８  ダイヤフラム、Ｂ  ２次室、１９  調整弁、２０  緩衝スプリング、２１  リリーフ弁、２２  調整弁案内棒、２３  調整器カバー、２３ａ  リリーフ孔、２４  ダイヤフラム受、２５，２６  スプリング受、２７  圧力調整スプリング、２８  押しネジ、３０  バルブ本体、３１  凹部、３２  入口継手、３４  弁座、３５  弁棒、３６，３７  Ｏリング、３８  スプリングガイド、３９  スプリング、４０  筐体、４１  ガス配管、４２  ベースブロック、４３  カバー、４４  防塵用プラグ、４５  ロック解除リング、４６  ガス供給口、４７，４８  ピン孔。
【図１】
0003104675.tif 000003
【図２】
0003104675.tif 000004
【図３】
0003104675.tif 000005
【図４】
0003104675.tif 000006
【図５】
0003104675.tif 000007
【図６】
0003104675.tif 000008
【図７】
0003104675.tif 000009
【図８】
0003104675.tif 000010
【図９】
0003104675.tif 000011
【図１０】
0003104675.tif 000012